(57)【要約】【課題】部品の修正をすることなく、適切な位置で電池蓋の開閉動作を検出可能な電子機器を提供する。【解決手段】電池蓋２の突起部３に押されてＯＮとＯＦＦとが切り替わる検出スイッチ１１をサブ基板１０に実装する。サブ基板１０は、本体１に対して固定される位置が調整可能とする。例えば、サブ基板１０には、長孔３０，３１を設けてＸ軸方向の位置が移動可能として、実験的に求めた適切な厚さのスペーサ１１０を位置決め面１２０とサブ基板１０との間に挟んだ状態でサブ基板１０を固定し、検出スイッチ１１と突起部３との位置関係を調整する。【選択図】図３
2007335091.tif 000002
【特許請求の範囲】
【請求項１】
機器本体側に設けられた電池装填用の開口部を塞ぐ閉位置と前記開口部を開放する開位置との間を移動可能な電池蓋と、
前記電池蓋の開閉移動を検出する開閉検出部と、
開閉検出部の作動位置を調節可能な開閉検出部作動位置調整機構と、
を備える電子機器。
【請求項２】
請求項１に記載の電子機器において、
前記開閉検出部は、前記機器本体に設けられ、前記電池蓋との相対的な位置の変化を検出する検出スイッチであり、
前記開閉検出部作動位置調整機構は、前記電池蓋と前記検出スイッチとの相対的な位置を変化させることにより前記検出スイッチの作動位置を調節可能であること、
を特徴とする電子機器。
【請求項３】
請求項２に記載の電子機器において、
前記開閉検出部作動位置調整機構は、前記電池蓋の移動軌跡と同一方向で前記電池蓋と前記検出スイッチとの相対的な位置を変化させること、
を特徴とする電子機器。
【請求項４】
請求項３に記載の電子機器において、
前記電池蓋の移動軌跡は、直線移動の軌跡を含むこと、
を特徴とする電子機器。
【請求項５】
請求項４に記載の電子機器において、
前記電池蓋の直線移動の軌跡の方向は、前記電池蓋に設けられた接点が電池の端子に接触する方向と略直交する方向であること、
を特徴とする電子機器。
【請求項６】
請求項１から請求項５までのいずれか１項に記載の電子機器において、
前記検出スイッチは、基板に実装されており、
前記基板が前記機器本体に対して固定される位置が変更可能であること、
を特徴とする電子機器。
【請求項７】
請求項６に記載の電子機器において、
前記基板は、前記電池蓋と前記検出スイッチとの相対的な位置を変化させる方向に延在して形成されたガイド部を有し、
前記ガイド部は、前記機器本体にガイドされて前記基板の移動方向が案内されること、
を特徴とする電子機器。
【請求項８】
請求項７に記載の電子機器において、
前記ガイド部は、前記基板の移動方向を案内する方向に延在する長孔であり、
前記長孔には、前記機器本体から突出したガイド軸が係合していること、
を特徴とする電子機器。
【発明の詳細な説明】
【技術分野】
【０００１】
本発明は、着脱可能な電池を電源として利用するデジタルカメラ等の電子機器に関するものである。
【背景技術】
【０００２】
デジタルカメラ等の電子機器は、本体内部の電池装填部に格納されている電池から、駆動電源の供給を受けて、内部の電子回路や各部品を制御したり、駆動したりしている。
このようなデジタルカメラでは、電池をカメラ本体内の電池装填部に装填し、電池蓋を開くことにより、電池を交換できるようになっている。そして、電池蓋が閉じたときに電池から電源が供給され、電池蓋が開くと電源が遮断される形態のものが多い。
【０００３】
このようなデジタルカメラでは、電池蓋が開いてゆく過程で電源の遮断が発生する。このとき、カメラ内部の電子回路等には、突然の電源遮断が起きてしまう。例えば、メモリーカードヘ記録情報の書き込みを行っている最中に、この突然の電源遮断が起こると、メモリーカードが破壊したり、記録情報が消失したり、起動ＩＣ等の電子素子が破壊したりするといった事故を引き起こしてしまう。
【０００４】
そこで、特許文献１では、電池蓋を開閉するとき、カメラ本体側に取り付けられた検出スイッチにより、電池蓋が開閉されたことを検知して、電源の供給と遮断を事前に検出し、例えば、電池蓋が開かれた場合には、メイン基板のメインマイクロコンピュータの制御により、回路への電源供給を制御することによって、電子回路の破損、データの消失、カメラの誤動作を防止するとともに、記録媒体、記録情報を保護している。
【０００５】
しかし、カメラの小型化が進んだことにより、検出スイッチが電池蓋の開閉動作の開始を検出する位置から電源が遮断される位置までの電池蓋の移動量が少なくなっている。これに対して、検出スイッチと電池蓋との位置関係は、多くの部品が間に介在して決まるので、部品の寸法公差の影響を大きく受ける。また、検出スイッチ自体の寸法公差は大きく、加えて、検出スイッチの基板への実装やカメラ本体への取り付けの精度を高めることは困難である。したがって、部品の公差及び組み立て精度のばらつきによって、検出スイッチによる電池蓋の開閉動作の検出が遅れ、検出スイッチが電池蓋の開動作を検出する前に電源の遮断が発生するおそれがあった。
【０００６】
そこで現実には、各部品を試作し、各部品の公差をそれぞれ測定した後に、カメラ本体を組立て、実験的に電源遮断位置と検出スイッチの検出位置（タイミング）の関係をデータ取りし、電源遮断位置と検出位置との位置関係が逆転する場合には、電池蓋端子部の寸法を修正（金型修正）する必要があった。例えば、電池蓋に設けられた検出スイッチを押す部分の長さを短くして、検出スイッチの検出位置を変更する等の、部品修正が必要であった。
しかし、このような部品の修正は、金型修正費用が発生したり、試作納期が増加してしまったりするという問題があった。
【特許文献１】特開平１１−２３２１８２号公報
【発明の開示】
【発明が解決しようとする課題】
【０００７】
本発明の課題は、部品の修正をすることなく、適切な位置で電池蓋の開閉動作を検出可能な電子機器を提供することである。
【課題を解決するための手段】
【０００８】
本発明は、以下のような解決手段により、前記課題を解決する。なお、理解を容易にするために、本発明の実施形態に対応する符号を付して説明するが、これに限定されるものではない。
請求項１の発明は、機器本体（１）側に設けられた電池装填用の開口部を塞ぐ閉位置と前記開口部を開放する開位置との間を移動可能な電池蓋（２）と、前記電池蓋の開閉移動を検出する開閉検出部（１１）と、開閉検出部の作動位置を調節可能な開閉検出部作動位置調整機構（１０，３０，３１，５，６）と、を備える電子機器である。
請求項２の発明は、請求項１に記載の電子機器において、前記開閉検出部（１１）は、前記機器本体（１）に設けられ、前記電池蓋（２）との相対的な位置の変化を検出する検出スイッチであり、前記開閉検出部作動位置調整機構（１０，３０，３１，５，６）は、前記電池蓋と前記検出スイッチとの相対的な位置を変化させることにより前記検出スイッチの作動位置を調節可能であること、を特徴とする電子機器である。
請求項３の発明は、請求項２に記載の電子機器において、前記開閉検出部作動位置調整機構（１０，３０，３１，５，６）は、前記電池蓋（２）の移動軌跡と同一方向で前記電池蓋と前記検出スイッチ（１１）との相対的な位置を変化させること、を特徴とする電子機器である。
請求項４の発明は、請求項３に記載の電子機器において、前記電池蓋（２）の移動軌跡は、直線移動の軌跡を含むこと、を特徴とする電子機器である。
請求項５の発明は、請求項４に記載の電子機器において、前記電池蓋（２）の直線移動の軌跡の方向は、前記電池蓋に設けられた接点（４ａ，４ｂ）が電池（Ｃ１，Ｃ２）の端子に接触する方向と略直交する方向であること、を特徴とする電子機器である。
請求項６の発明は、請求項１から請求項５までのいずれか１項に記載の電子機器において、前記検出スイッチ（１１）は、基板（１０）に実装されており、前記基板が前記機器本体（１）に対して固定される位置が変更可能であること、を特徴とする電子機器である。
請求項７の発明は、請求項６に記載の電子機器において、前記基板（１０）は、前記電池蓋（２）と前記検出スイッチ（１１）との相対的な位置を変化させる方向に延在して形成されたガイド部（３０，３１）を有し、前記ガイド部は、前記機器本体（１）にガイドされて前記基板の移動方向が案内されること、を特徴とする電子機器である。
請求項８の発明は、請求項７に記載の電子機器において、前記ガイド部（３０，３１）は、前記基板（１０）の移動方向を案内する方向に延在する長孔であり、前記長孔には、前記機器本体から突出したガイド軸（５，６）が係合していること、を特徴とする電子機器である。
なお、符号を付した構成は適宜改良してもよい。また、少なくとも一部を他の構成物に代替してもよく、その配置について特に限定のない構成要件は、実施形態で開示した配置に限らない。
【発明の効果】
【０００９】
本発明によれば、開閉検出部作動位置調整機構を備えるので、部品の修正をすることなく、適切な位置で電池蓋の開閉動作を検出できる。
【発明を実施するための最良の形態】
【００１０】
以下、図面等を参照しながら、本発明の実施の形態について、更に詳しく説明する。
【００１１】
（実施形態）
図１は、本実施形態のデジタルカメラの電池装填部付近を示す透視図である。
なお、図１は、デジタルカメラ（以下、カメラ）を正位置としたときにカメラ上方から見た状態を示している。ここで、正位置とは、不図示の撮影光学系の光軸が水平であり、かつ、撮影画面の長手方向が水平方向となるカメラの姿勢を示すものとする。また、図１〜図３には、理解を容易とするために、カメラを正位置としたときの上方をＹプラス方向としてＸＹＺ直交座標を設けている。
【００１２】
本実施形態のカメラは、図１に示した範囲よりもＸプラス側に、Ｚ軸に平行な光軸を有した不図示の撮影光学系及び撮像素子を備え、撮影した画像データを不図示のメモリーカードに記録することができる。
本体１は、後述の電池蓋２を除くカメラの外装を含み、カメラの他の構成部材が固定されている部分である。本体１のＸマイナス側の端部付近には、２本の単三型の電池Ｃ１，Ｃ２を、その長手方向がＹ軸と平行となるようにしてＸ軸方向に並べて装填可能である。なお、この電池Ｃ１，Ｃ２を装填可能な空間を電池装填部と呼ぶ。Ｘマイナス側に装填される電池Ｃ１は、負極側の端子がＹマイナス側となり、Ｘプラス側に装填される電池Ｃ２は、正極側の端子がＹマイナス側となるように装填される。なお、本体１の電池装填部のＹマイナス側には、電池交換用の開口である装填口が形成されている。
【００１３】
電池Ｃ１，Ｃ２よりもＺマイナス側には、メイン基板２００が配置され、メイン基板２００よりもわずかにＺプラス側には、サブ基板１０が配置されている。
メイン基板２００は、撮像素子により取り込んだ画像データを一時記憶するバッファメモリや、カメラの各部を制御するメインマイクロコンピュータや、その他各種の回路が搭載されたものであり、本体１に固定されている。なお、サブ基板１０とメイン基板２００とは、不図示のフレキシブルケーブルで接続されており、サブ基板１０とメイン基板２００とのＸ軸方向の相対的な位置が移動したとしても、電気的な接続が行われるようになっている。
【００１４】
図２は、電池蓋が閉じた状態を示す断面図である。
図３は、電池蓋が開く過程を示す断面図である。
図２（ａ）及び図３（ａ）は、図１中に示したＡＡ断面を示し、図２（ｂ）及び図３（ｂ）は、図１中に示したＢＢ断面を示している。
本実施形態のカメラの電池装填部のＹマイナス側の端部付近には、電池蓋２，可動電池接片４，サブ基板１０，検出スイッチ１１等が設けられている。
電池蓋２は、本体１に形成された装填口を覆うことができる開閉可能な蓋である。電池蓋２には、電池蓋２が閉じた状態におけるＸ軸方向に長い長孔２０が設けられており、回転軸２１が挿入されている。よって、電池蓋２は、長孔２０の長手方向であるＸ軸方向に本体１に対してスライド移動可能であり、さらに、回転軸２１まわりの回転を行える。電池蓋２は、閉じた状態から開いた状態へ移行するときには、まず、使用者の操作によって不図示の電池蓋ロック機構が解除された後、Ｘマイナス方向へ移動させられ、その後、回転軸２１まわりで回転して、開状態となる。電池蓋２を閉じる動作は、この逆の手順により行われる。
【００１５】
可動電池接片４は、導電性を有した弾性体をばね状に形成した部材であり、電池蓋２の内面に固定されている。可動電池接片４は、凸部４ａ，４ｂを有しており、電池蓋２が完全に閉じた状態で、凸部４ｂが電池Ｃ１の負極側の端子にＹ軸方向で接触し、凸部４ａが電池Ｃ２の正極側の端子にＹ軸方向で接触することにより、電池Ｃ１と電池Ｃ２とを電気的に直列に接続している。なお、電池Ｃ１及び電池Ｃ２のＹプラス側（電池Ｃ１及び電池Ｃ２の可動電池接片４とは反対側）には、不図示の固定電池接片が設けられており、この固定電池接片は、メイン基板２００に接続され、カメラの動作に必要な電気エネルギーを電池Ｃ１及び電池Ｃ２から取り出し可能となっている。
【００１６】
サブ基板１０は、後述の検出スイッチ１１が実装された基板である。サブ基板１０には、Ｘ軸方向に長い長孔３０，３１と、ビス止め用長孔４０，４１とを有している。サブ基板１０は、長孔３０，３１に、本体１に設けられた軸５，６が挿入されてＹ軸方向の位置決めがされるとともに、Ｘ軸方向に移動可能に案内されている。また、サブ基板１０は、不図示のビスをビス止め用長孔４０，４１に挿入して固定されることにより、Ｘ軸方向の位置が決められて、本体１に対して固定される。したがって、サブ基板１０のＸ軸方向の位置は、長孔３０，３１の長さの範囲で調整可能となっている。
【００１７】
検出スイッチ１１は、電池蓋２の開閉を検出するスイッチであり、サブ基板１０に実装されている。検出スイッチ１１は、電池蓋２のＸ軸に沿った移動により電池蓋２に設けられた突起部３に押されて可動する検出スイッチ凸接片部５０を有している。
図２に示すように電池蓋２が完全に閉じた状態では、検出スイッチ凸接片部５０は、電池蓋２の突起部３により、本体１の内部方向（Ｘプラス方向）に押し込まれる。検出スイッチ凸接片部５０が検出スイッチ１１のＯＮ作動位置に押し込まれたときから検出スイッチ１１は、ＯＮとなる。
また、図３に示すように電池蓋２がＸマイナス方向に移動した状態では、検出スイッチ凸接片部５０は、電池蓋２の突起部３による押し込みが解除されて、自由状態に復帰する。これにより、検出スイッチ１１のＯＮ作動位置よりも、自由状態側に復帰したときから、検出スイッチ１１は、ＯＦＦとなる。
【００１８】
なお、本実施形態では、各部品が設計狙い通りの寸法、位置（理想的な寸法、位置）となっている場合、検出スイッチ１１がＯＮの状態では、可動電池接片４の凸部４ａ，４ｂが電池Ｃ２及び電池Ｃ１の端子に接触して電源の供給が行われている。また、各部品が設計狙い通りの寸法、位置となっている場合、検出スイッチ１１がＯＮからＯＦＦに切り替わる位置に電池蓋２があっても、未だ、可動電池接片４の凸部４ａ，４ｂが電池Ｃ２及び電池Ｃ１の端子に接触して電源の供給が行われている。
このように、本実施形態では、検出スイッチ１１がＯＮの状態にあるときは、電源の供給を行うことができる状態（可動電池接片４が電池Ｃ１及び電池Ｃ２の端子に接触している状態）にあり、検出スイッチ１１がＯＦＦの状態になることによって、電池蓋２が開かれる過程にあることを検知できるようになっている。
【００１９】
図４は、電池蓋の開閉、電源の供給及び遮断、検出スイッチのＯＮ／ＯＦＦのタイミングを、それぞれ表したタイミングチャートである。図４（ａ）は、設計の狙い通りに組み立てられている場合を示し、図４（ｂ）は、設計の狙いから外れており、調整が必要な場合を示している。
図４において、電池蓋２がＸマイナス方向に（開方向に）移動する過程で、Ｐ１は、電源の供給と遮断とが切り替わるタイミング（電池Ｃ２の端子と電池接片の凸部４ａとが接触し、電流が流れ始めるタイミング）を示し、Ｐ２は、検出スイッチ１１のＯＮとＯＦＦとが切り替わるタイミングを示している。
また、図４において、Ｐ３は、電池蓋２がストローク端で、電池蓋２が開いた状態を、Ｐ４は、電池蓋２が、本体１の端部に当たって止まる、電池蓋２が完全に閉じた状態を示している。
図４（ａ）のように、電池蓋２が開いてゆく過程では、Ｐ２がＰ１よりも先に存在している状態が、正常な状態（設計狙い）である。
【００２０】
本実施形態では、検出スイッチ１１の状態は、メイン基板２００に設けられた不図示のメインマイクロコンピュータによって監視されている。そして、検出スイッチ１１がＯＦＦになるＰ２の信号が得られると、メイン基板２００のメインマイクロコンピュータは、各素子への信号供給をＯＦＦにし、メイン基板２００やサブ基盤１０の動作を終了して、電源の遮断されるＰ１の状態となることに備える。これにより、カメラの各種動作中に突然電源が遮断されることによる故障等を回避可能である。
【００２１】
ここで、図４（ａ）の状態では、電源の通電タイミングＰ１と検出スイッチ１１のＯＮとＯＦＦとが切り替わるタイミングＰ２の間には、間隔Ｃ（タイムラグ）が、存在している。この間隔Ｃが長いほど、メインマイクロコンピュータが各素子への信号供給をＯＦＦするまでの余裕が生じ、各部品の公差及び組み立て誤差の影響を受けにくくなる。
しかし、本実施形態のカメラは、小型化されており、Ｐ１とＰ２との間隔（タイムラグ）Ｃが狭くなっている。
そのため、各部品、例えば、電池蓋２、回転軸２１、本体１、サブ基板１０、さらに検出スイッチ１１自体等の各部品が有する部品公差を積み上げてゆくと、Ｐ１とＰ２の位置関係が逆転してしまうことがあり得る。
【００２２】
仮に、図４（ｂ）のように、Ｐ１とＰ２のタイミングが逆転してしまうと、電池蓋２が開いてゆく過程では、電源の遮断（Ｐ１）が先に起こるが、そのとき、検出スイッチからは、ＯＦＦ信号が発信されていない（未だＰ２に達していない）ために、各素子には、突然の電源遮断が起きてしまう。例えば、メモリーカードヘ記録情報の書き込みを行っている最中に、この突然の電源遮断が起こると、メモリーカードの破壊や、記録情報の消失、さらには、起動ＩＣ等の電子素子の破壊、といった事故を引き起こしてしまうおそれがある。
【００２３】
そこで、本実施形態では、本体１にサブ基板１０を組み付けるときに、検出スイッチ１１のＸ軸方向の位置を適切な位置に調整できるように、スペーサ１１０を利用する。具体的には、本体１に設けられた位置決め面１２０とサブ基板１０との間に、適正な厚さのスペーサ１１０を挿入しながら、検出スイッチ１１が実装されたサブ基板１０を本体１に組み付け、ビス止めし、固定している。
なお、組立て用のスペーサ１１０の適正な厚さの決定は、試作品を用いたスイッチタイミングの試験を行い、種々の厚さのスペーサを用意し、実験からその厚みを決定した。
また、組立て用のスペーサ１１０は、サブ基板１０をビス止めして固定した後、取り出して、カメラ内には組み込まず、再使用する。
【００２４】
電池蓋２、回転軸２１、本体１、サブ基板１０、検出スイッチ１１等の各部品が有する部品公差は、それらの部品の製造に使用する金型等が作製されることにより、安定するので、一度スペーサの厚みを決めた後には、スイッチタイミングの試験を適宜行い管理すればよい。
【００２５】
本実施形態によれば、検出スイッチ１１を実装したサブ基板１０の固定位置を調整可能とすることにより、電池蓋２の突起部３が検出スイッチ１１の検出スイッチ凸接片部５０を押して検出スイッチ１１のＯＮとＯＦＦとが切り替わるタイミングを調整可能としたので、部品の修正をすることなく、適切な位置で電池蓋２の開閉動作を検出することができる。
【００２６】
（変形形態）
以上説明した実施形態に限定されることなく、種々の変形や変更が可能であって、それらも本発明の均等の範囲内である。
（１）本実施形態において、検出スイッチを実装したサブ基板を設けて、サブ基板の位置を調整する例を示したが、これに限らず、例えば、メイン基板上に本体との位置決めが必要となる部品（例えば鏡筒等）が、実装されていない場合には、メイン基板に検出スイッチを実装し、メイン基板の位置を調整しても良い。
また、検出スイッチ側の位置を移動させる形態に限らず、検出スイッチの検出スイッチ凸接片部を押す突起部と電池蓋とを別部品にして、突起部の電池蓋に対する固定位置を調整するようにしてもよい。
【００２７】
（２）本実施形態において、可動電池接片は、電池Ｃ１と電池Ｃ２とを電気的に直列に接続する部材である例を示したが、これに限らず、例えば、可動電池接片は、ひとつでもよいし、電力を取り出す形態となっていてもよい。
【００２８】
（３）本実施形態において、検出スイッチは、パッケージ化されてスイッチとして独立した形態をしている例を示したが、これに限らず、例えば、基板上に形成された導体パターンと可動接片との接触により電池蓋の開閉を検出するようにしてもよい。この場合、可動接片と導体パターンとの相対的な位置を移動させてタイミングを調整可能とすればよい。
【００２９】
（４）本実施形態において、デジタルカメラを例に挙げて説明したが、これに限らず、例えば、携帯電話、携帯用録音機器等の各種電子機器であってもよい。
【図面の簡単な説明】
【００３０】
【図１】本実施形態のデジタルカメラの電池装填部付近を示す透視図である。
【図２】電池蓋が閉じた状態を示す断面図である。
【図３】電池蓋が開く過程を示す断面図である。
【図４】電池蓋の開閉、電源の供給及び遮断、検出スイッチのＯＮ／ＯＦＦのタイミングを、それぞれ表したタイミングチャートである。
【符号の説明】
【００３１】
１：本体、２：電池蓋、４：可動電池接片、１０：サブ基板１０、１１：検出スイッチ、Ｃ１，Ｃ２：電池
【図１】
2007335091.tif 000003
【図２】
2007335091.tif 000004
【図３】
2007335091.tif 000005
【図４】
2007335091.tif 000006